(57)【要約】【課題】系統において異常等が発生して系統電圧が急変した場合には、高速に応答して過電流の発生を防止し、定常時においては、不平衡成分や高調波成分を出力することを抑えることができる電力変換装置を提供する。【解決手段】フィルタ１５，１６は、三相／ｄｑ軸変換器５を介して系統の検出電圧を入力する。系統異常判定手段１７は、三相／ｄｑ軸変換器５の出力の一つを入力して、その変化率が所定値を超えた場合に時定数切換え指令をフィルタ１５，１６へ出力する。フィルタ１５，１６は時定数切換え指令により、応答時定数を通常時は長い値、系統異常時は短い値に切り換える。【選択図】  図１
2004153957.tif 000002
【特許請求の範囲】
【請求項１】
系統に誘導性インピーダンスを介して並列接続されたインバータと、このインバータの出力電流と基準電流の差に応じて電圧制御信号を生成し、この電圧制御信号に応じて前記インバータの出力電圧を制御する電圧制御回路とを有し、系統の検出電圧に応じて前記電圧制御信号を補正する構成の電力変換装置において、補正信号の前段に挿入され前記系統の検出電圧を入力信号とする時定数可変の低域通過フィルタと、前記系統の異常を判定する系統異常判定手段と、この系統異常判定手段が系統の異常を判定したことに応じて、前記フィルタの時定数をそれ以前よりも短い状態に切換えるとともに、前記系統異常判定手段が系統異常の収束を判定したことに応じて、前記フィルタの時定数をそれ以前の長い時定数状態まで連続的に戻す時定数切換え手段を備えたことを特徴とする電力変換装置。
【請求項２】
系統に誘導性インピーダンスを介して並列接続されたインバータと、このインバータの出力電流と基準電流の差に応じて電圧制御信号を生成し、この電圧制御信号に応じて前記インバータの出力電圧を制御する電圧制御回路と、前記電圧制御信号を補正するように挿入され前記系統の検出電圧を入力信号とする低域通過フィルタとを備えた電力変換装置において、前記系統の検出電圧振幅又は位相の変化率がしきい値を超えたことに応じて系統異常を判定する手段と、この系統異常判定手段が系統の異常を判定しているとき、前記フィルタの時定数をそれ以外の期間よりも短く又は前記フィルタを介さず前記系統の検出電圧を補正信号として取り込む手段を備えたことを特徴とする電力変換装置。
【請求項３】
系統に誘導性インピーダンスを介して並列接続されたインバータと、このインバータの出力電流と基準電流の差に応じて電圧制御信号を生成し、この電圧制御信号に応じて前記インバータの出力電圧を制御する電圧制御回路とを有し、系統の検出電圧に応じて前記電圧制御信号を補正する構成の電力変換装置において、補正信号の前段に前記系統の検出電圧を入力信号とする低域通過フィルタと、前記系統の検出電圧振幅又は位相の変化率がしきい値を超えたことに応じて系統異常と判定し、この変化率がしきい値を下回りかつ系統異常判定後に所定時間が経過したことに応じて系統異常の収束を判定する系統異常判定手段と、この判定手段が系統異常と判定した期間では、前記フィルタの時定数をそれ以外の期間よりも短く又は前記フィルタを介さず前記系統の検出電圧を補正信号として取り込む手段を備えたことを特徴とする電力変換装置。
【請求項４】
系統に誘導性インピーダンスを介して並列接続されたインバータと、このインバータの出力電流と基準電流の差に応じて電圧制御信号を生成し、この電圧制御信号に応じて前記インバータの出力電圧を制御する電圧制御回路とを有し、系統の検出電圧に応じて前記電圧制御信号を補正する構成の電力変換装置において、補正信号の前段に前記系統の検出電圧を入力信号とする低域通過フィルタと、前記系統の検出電圧振幅の変化率がしきい値を超えたことに応じて系統異常と判定し、この変化率がしきい値を下回りかつ系統異常判定後に所定時間が経過したことに応じて系統異常の収束を判定する系統異常判定手段と、この判定手段が系統異常と判定した期間では前記フィルタの時定数を短い状態に、それ以外の期間は前記時定数を長い状態に切換える手段を備えたことを特徴とする電力変換装置。
【請求項５】
請求項４において、前記系統異常判定手段は、前記系統の三相電圧をｄｑ軸に変換する手段と、この変換により得られたｄ軸電圧の変化率を予定値と比較する手段を備えたことを特徴とする電力変換装置。
【請求項６】
系統に誘導性インピーダンスを介して並列接続されたインバータと、このインバータの出力電流と基準電流の差に応じて電圧制御信号を生成し、この電圧制御信号に応じて前記インバータの出力電圧を制御する電圧制御回路とを有し、系統の検出電圧に応じて前記電圧制御信号を補正する構成の電力変換装置において、補正信号の前段に前記系統の検出電圧を入力信号とする低域通過フィルタと、前記系統の検出電圧位相の変化率がしきい値を超えたことに応じて系統異常と判定し、この変化率がしきい値を下回りかつ系統異常判定後に所定時間が経過したことに応じて系統異常の収束を判定する系統異常判定手段と、この判定手段が系統異常と判定した期間では前記フィルタの時定数を短い状態に、それ以外の期間は前記時定数を長い状態に切換える手段を備えたことを特徴とする電力変換装置。
【請求項７】
請求項６において、前記系統異常判定手段は、前記系統の三相電圧をｄｑ軸に変換する手段と、この変換により得られたｑ軸電圧の変化率を予定値と比較する手段を備えたことを特徴とする電力変換装置。
【発明の詳細な説明】
【０００１】
【発明の属する技術分野】
本発明は、系統に並列接続して使用する電力変換装置に関し、特に、電力貯蔵システムや無効電力補償装置に用いて好適な、系統電力の供給を安定化する電力変換装置に関する。
【０００２】
【従来の技術】
このような目的に用いる電力変換装置としては、ナトリウム・イオウ（ＮａＳ）電池とインバータを組み合わせた電力貯蔵システムや、無効電力補償装置（ＳＶＣ：Ｓｔａｔｉｃ  Ｖａｒ  Ｃｏｍｐｅｎｓａｔｏｒ）等がある。これらのシステムにおいては、系統に誘導性インピーダンスを介してインバータを並列接続する。例えば、電力貯蔵システムでは、このインバータを、余剰電力でＮａＳ電池を充電し、不足電力をＮａＳ電池からの放電によって補うように制御する。この電力制御系に基き基準電流指令が決まり、電圧制御回路によりインバータの出力電流を前記基準電流に一致させるべく電圧制御信号を生成する。さらに、系統の検出電圧を電圧制御信号に加算してインバータの出力を補正し、系統電圧に変動があった時に、ただちにその変動に応答させようとしたものが知られている。しかしながら、上述の電力変換装置では、系統電圧に追従してその系統に電力を供給するので、系統電圧に不平衡成分や高調波成分が含まれている場合は、それらに対しても不要な動作をしてしまう。このため、定常時において電力変換装置に出力電圧の不平衡分や発生高調波が増大してしまう問題があった。これを解決する手段として、特許文献１には、系統の検出電圧を入力信号とするフィルタと、このフィルタの出力信号と系統の検出電圧信号のうちどちらか一方を出力する切り換え器を備えている。そして、検出電圧信号とフィルタ出力信号の差が所定の値よりも大きいときは、前記切り換え器の出力を系統電圧の検出電圧に切り換える技術を提案している。
【０００３】
【特許文献１】
特開平０７−１２３７２６号公報（全体）
【０００４】
【発明が解決しようとする課題】
特許文献１では、検出回路の入力にフィルタの出力信号を使用しているので、原理的に、系統異常発生からその現象の検出までに一定の検出遅れが生じる。このため、系統の電圧急変に対する高速応答性が不十分である。
【０００５】
本発明の目的は、定常時においては、不平衡成分や高調波成分の出力を抑制するとともに、系統異常により系統電圧が急変した場合には、高速に応答して過電流の発生を防止し得る電力変換装置を提供することである。
【０００６】
発明者が系統異常波形を解析したところ、系統異常が発生した直後から系統の検出電圧はその振幅および位相が急変すること、系統の検出電圧の急変時に電力変換装置の出力電圧信号を高速に補正できなければ過電流の発生を招くことが判った。
【０００７】
本発明の他の目的は、系統の検出電圧の急変時に、電力変換装置の出力電圧信号を高速に補正し、過電流の発生を抑制することである。
【０００８】
また、上記解析によれば、系統異常期間中は系統の電圧信号は激しく変動し、フィルタ出力信号とは周期的に乖離が見られることが判った。そして、再閉路前に誤って系統異常が収束したと判断し、電圧信号からフィルタの出力信号へ切り換えた場合に、出力電圧補正信号が不連続に急変して過電流の発生を招く可能性があることが判った。
【０００９】
本発明のさらに他の目的は、系統異常収束の時期を正確に判断し、出力電圧補正信号の不連続な急変と、これに基く過電流の発生を抑制することである。
【００１０】
【課題を解決するための手段】
本発明の特徴とするところは、系統の検出電圧に応じて電圧制御信号を補正する構成の電力変換装置において、補正信号の前段に系統の検出電圧を入力信号とする時定数可変の低域通過フィルタと、系統の異常を判定する系統異常判定手段と、この判定手段が系統異常と判定したことに応じて、前記フィルタの時定数をそれまでよりも短い状態に切換えるとともに、系統異常判定手段が系統異常の収束を判定したことに応じて、前記フィルタの時定数をそれ以前の長い時定数状態まで連続的に戻す時定数切換え手段を備えたことである。
【００１１】
ここで言う連続的とは、必ずしも全部が連続しているものに限らず、多段階的であったり、あるいは一部に不連続部があっても構わない。要は、ステップ状に一挙に時定数が切換るものと区別する意味である。
【００１２】
このように、フィルタの時定数を長い時定数状態まで連続的に戻すことによって、電圧補正信号の急変に起因する過電流の発生を防止する。
【００１３】
本発明の他の特徴とするところは、系統の検出電圧振幅又は位相の変化率がしきい値を超えたことに応じて系統異常を判定する手段と、この系統異常判定手段が系統の異常を判定しているとき、前記フィルタの時定数をそれ以外の期間よりも短く又は前記フィルタを介さず前記系統の検出電圧を補正信号として取り込む手段を備えたことである。
【００１４】
このように、フィルタを介することなく、直接に系統の検出電圧そのものの振幅又は位相の変化率がしきい値を超えたことに応じて系統異常を判定するので、系統の電圧急変に対する高速応答性を改善する。
【００１５】
本発明の更に他の特徴とするところは、系統の検出電圧振幅又は位相の変化率がしきい値を超えたことに応じて系統異常と判定し、この変化率がしきい値を下回りかつ系統異常判定後に所定時間が経過したことに応じて系統異常の収束を判定することである。
【００１６】
このように、フィルタを介することなく、直接に系統の検出電圧そのものの振幅又は位相の変化率がしきい値を超えたことに応じて系統異常を判定するとともに、系統異常収束の判定に所定時間の要素を導入することによって、過電流の発生を防止する。
【００１７】
本発明の他の目的及び特徴は、以下に述べる実施例の説明で明らかにする。
【００１８】
【発明の実施の形態】
以下、本発明の実施例について図を参照して説明する。
【００１９】
図１は、本発明の第１の実施例による電力変換装置を示すブロック図である。インバータ１は、誘導性インピーダンス２を介して系統電源３を有する系統に並列に接続されている。誘導性インピーダンス２としては、一般には変換装置用変圧器又は交流リアクトルが使用される。なお、電力貯蔵システムにおいては、１８はＮａＳ電池である。
【００２０】
電圧制御回路は、電圧位相検出器４、三相／ｄｑ軸変換器５，６、ｄ軸電流制御回路７、ｑ軸電流制御回路８、ｄｑ軸／三相変換器９、パルス幅変調回路１０、減算器１１，１２及び加算器１３，１４とで形成されている。インバータ１の出力電流Ｉａ〜Ｉｃと、基準電流であるｄ軸及びｑ軸電流設定値Ｉｄ’及びＩｑ’との差に応じて電圧制御信号Ｕｃｄ及びＵｃｑを生成し、この電圧制御信号に応じて前記インバータの出力電圧を制御する。また、前記電圧制御回路は、系統の検出電圧Ｖｓａ〜Ｖｓｃに応じて前記電圧制御信号Ｕｃｄ及びＵｃｑを補正し、Ｖｃｄ及びＶｃｑを得る。このとき、フィルタ１５，１６は、三相／ｄｑ軸変換器５を介して系統の検出電圧を入力している。系統異常判定手段１７は、系統異常発生フラグτｖを出力し、フィルタ１５，１６は系統異常発生時は応答時定数を短い状態に切り換え、それ以外のときは応答時定数を長い状態に切り換える。
【００２１】
次に、本実施例の動作について説明する。先ず、本実施例の基本動作の概要を説明する。インバータ１が出力する各相の電圧をＶｃａ，Ｖｃｂ，Ｖｃｃとし、系統の各相の電圧をＶｓａ，Ｖｓｂ，Ｖｓｃとし、系統の各相に流れる電流をＩａ，Ｉｂ，Ｉｃとする。誘導性インピーダンス２のインダクタンスをＬとし、抵抗を無視すると上記諸量の間には、下記（１）〜（３）式の関係が成りたつ。
【００２２】
Ｌ・（ｄＩａ／ｄｔ）＝Ｖｃａ−Ｖｓａ                                （１）
Ｌ・（ｄＩｂ／ｄｔ）＝Ｖｃｂ−Ｖｓｂ                                （２）
Ｌ・（ｄＩｃ／ｄｔ）＝Ｖｃｃ−Ｖｓｃ                                （３）
ここで、ｄｑ２軸への変換操作を行う。ｄｑ２軸への変換は、例えば、インバータ１の出力電圧に対して下記（４）式で変換操作を行う。他の量についても同様である。
【００２３】
【数１】
2004153957.tif 000003
【００２４】
上記の変換操作を（１）〜（３）式について行えば（５），（６）式となる。
【００２５】
Ｌ・（ｄＩｄ／ｄｔ）＝Ｖｃｄ−Ｖｓｄ−ωＬＩｑ                      （５）
Ｌ・（ｄＩｑ／ｄｔ）＝Ｖｃｑ−Ｖｓｑ＋ωＬＩｄ                      （６）
ここで、Ｖｃｄ，Ｖｃｑはインバータ１の発生電圧を２軸に変換した量、Ｖｓｄ，Ｖｓｑは系統電圧を２軸に変換した量、Ｉｄ，Ｉｑはインバータ１の電流を２軸に変換した量、ωは系統電圧の角周波数である。
【００２６】
更に、インバータ１の出力電圧を下記（７），（８）式に基づいて決める。
【００２７】
Ｖｃｄ＝Ｖｓｄ＋ωＬＩｑ＋Ｕｃｄ                                  （７）
Ｖｃｑ＝Ｖｓｑ−ωＬＩｄ＋Ｕｃｑ                                  （８）
（７），（８）式を（５），（６）式に代入すると、（９），（１０）式となる。
【００２８】
Ｌ・（ｄＩｄ／ｄｔ）＝Ｕｃｄ                                        （９）
Ｌ・（ｄＩｑ／ｄｔ）＝Ｕｃｑ                                      （１０）
上記（９），（１０）式から、Ｉｄを制御するにはＵｃｄを、Ｉｑを制御するにはＵｃｑを制御すればよいことが分かる。したがって、インバータ１の各相の出力電圧は、Ｕｃｄ，Ｕｃｑの操作量に基づいて（７），（８）式から得られるＶｃｄ，Ｖｃｑを三相に逆変換することで求められる。その逆変換は、下記（１１）式で表せる。
【００２９】
【数２】
2004153957.tif 000004
【００３０】
次に、図１を参照して具体的に説明する。電圧位相検出器４では、系統電源３から検出した三相検出電圧Ｖｓａ，Ｖｓｂ，Ｖｓｃに基づいて、系統電圧の位相を求めてサイン波（以下、ｓｉｎωｔと記す）とコサイン波（以下、ｃｏｓωｔと記す）の信号を発生する。三相／ｄｑ軸変換器６は、インバータ１の三相出力電流Ｉａ，Ｉｂ，Ｉｃを入力して、電圧位相検出器４から出力されるｓｉｎωｔ信号とｃｏｓωｔ信号から、ｄ軸電流Ｉｄとｑ軸電流Ｉｑを出力する。
【００３１】
ｄ軸電流Ｉｄは、減算器１１においてｄ軸電流設定値Ｉｄ’と比較され、その偏差がｄ軸電流制御回路７に入力される。ｄ軸電流制御回路７は、前記偏差が０になるような信号を出力する。このｄ軸電流制御回路７の出力Ｕｄｃとフィルタ１５の出力Ｖｓｄ２は、加算器１３において加算され、ｄ軸電圧設定値Ｖｃｄとしてｄｑ軸／三相変換器９に入力される。
【００３２】
同様に、ｑ軸電流Ｉｑは、減算器１２においてｑ軸電流設定値Ｉｑ’と比較され、その偏差がｑ軸電流制御回路８に入力される。ｑ軸電流制御回路８は、前記偏差が０になるような信号を出力する。このｑ軸電流制御回路８の出力Ｕｃｑとフィルタ１６の出力Ｖｓｑ２は、加算器１４において加算され、ｑ軸電圧設定値Ｖｃｑとしてｄｑ軸／三相変換器９に入力される。
【００３３】
ｄｑ軸／三相変換器９は、入力したｄ軸電圧設定値Ｖｃｄとｑ軸電圧設定値Ｖｃｑとを逆変換することによって三相電圧指令値Ｖｃａ’，Ｖｃｂ’，Ｖｃｃ’を得て、これらをパルス幅変調回路１０に出力する。パルス幅変調回路１０は、インバータの三相出力電圧Ｖｃａ，Ｖｃｂ，Ｖｃｃが三相電圧指令値Ｖｃａ’，Ｖｃｂ’，Ｖｃｃ’と等しくなるようにインバータ１を制御する。
【００３４】
次に、本実施例の特徴動作を図１を参照して説明する。三相／ｄｑ軸変換器５は、系統から三相電圧Ｖｓａ，Ｖｓｂ，Ｖｓｃを入力して、ｄ軸電圧Ｖｓｄ１とｑ軸電圧Ｖｓｑ１に変換する。フィルタ１５は、ｄ軸電圧Ｖｓｄ１を入力してｄ軸電圧Ｖｓｄ２として出力する。ここで、２軸変換された電圧は、正相電圧が直流、逆相電圧が２倍調波、高調波電圧が高調波成分となるため、低域フィルタを用いることにより、ｄ軸電圧Ｖｓｄ２は正相電圧成分のみとなる。同様に、フィルタ１６は、ｑ軸電圧Ｖｓｑ１を入力して系統電圧の正相分のみであるｑ軸電圧Ｖｓｑ２を出力する。
【００３５】
系統異常判定手段１７は、三相／ｄｑ変換器５の出力であるｄ軸電圧Ｖｓｄ１を入力する。ｄ軸電圧Ｖｓｄ１は、通常、系統電圧の正相分振幅値に相当する。系統異常判定手段１７は、ｄ軸電圧Ｖｓｄ１の変化率の絶対値｜ΔＶｓｄ１｜を演算して、所定の設定値ΔＶｍａｘと比較する。Ｖｓｄ１の変化率の絶対値｜ΔＶｓｄ１｜が、設定値ΔＶｍａｘより大きい場合は、系統異常発生と判断して、フィルタ１５，１６に対してそれらの時定数τｖを長い状態τｖ１から短い状態τｖ２に切り換える指令を出力する。この指令はＶｓｄ１の変化率の絶対値｜ΔＶｓｄ１｜が設定値ΔＶｍａｘより小さくなる状態が、設定された系統異常継続想定時間ｔ１を超過するまで継続される。言い換えると、系統電圧振幅の変化率｜ΔＶｓｄ１｜が、しきい値ΔＶｍａｘ以内に戻った状態が所定時間ｔ１だけ継続したことによって、系統異常の収束と判定している。
【００３６】
フィルタ時定数の具体例は、通常時にτｖ１＝２［ｍｓ］、系統異常時はτｖ２＝０．１［ｍｓ］である。フィルタ１５，１６は、（１２）式で表される機能を持つ構成とすることが望ましい。すなわち、ｉ回目のサンプリング時のフィルタ出力値Ｙｉは、入力値Ｘｉ、係数ａ、前回（ｉ―１）の出力値Ｙｉ―１の下で、
Ｙｉ＝ａＸｉ＋（１−ａ）Ｙｉ―１                                    （１２）
となる特性を持つことである。このようにすれば、フィルタの時定数τｖが、τｖ＝τｖ１＝２［ｍｓ］からτｖ＝τｖ２＝０．１［ｍｓ］に短くなるときは、０．１［ｍｓ］の短時間に変化する。一方、τｖ２＝０．１［ｍｓ］からτｖ１＝２［ｍｓ］へと長くなるときは、２［ｍｓ］をかけて連続的に変化する。
【００３７】
また、系統異常継続想定時間ｔ１は、例えばｔ１＝２００［ｍｓ］である。検出電圧振幅の変化率ΔＶｓｄ１は、離散制御において検出電圧振幅の前回取込み値と今回取込み値の差分である。取込み周期は約１００［μｓ］、しきい値ΔＶｍａｘは、０．０３［ｐｕ］／１００［μｓ］としている。
【００３８】
系統電圧の急変がない場合は、系統異常判定手段１７において、電圧Ｖｓｄ１の変化率は小さくなっているため、判定手段１７はフィルタ１５及び１６に対して時定数切り換え指令を出力しない。これにより、フィルタ１５及び１６は、時定数が長い状態τｖ＝τｖ１（≧τｖ２）に保たれ、フィルタ出力Ｖｓｄ２，Ｖｓｑ２は、系統の検出電圧Ｖｓｄ１，Ｖｓｑ１に含まれる逆相分や高調波分は充分に除去された状態となる。
【００３９】
一方、系統電圧において、電圧の急変があった場合は、系統異常判定手段１７において、電圧Ｖｓｄ１の変化率は一定値よりも大きくなり、判定手段１７はフィルタ１５及び１６に対して時定数切り換え指令を直ちに出力する。例えば、サンプリングタイム１００［μｓ］とすれば、前回と今回のサンプリング電圧値そのものの偏差により、１００［μｓ］強で電圧の急変を検出できる。これにより、フィルタ１５及び１６は、直ちに短い時定数状態τｖ＝τｖ２（≦τｖ１）に切り換わり、フィルタ出力Ｖｓｄ２，Ｖｓｑ２は、系統の検出電圧Ｖｓｄ１，Ｖｓｑ１に含まれる逆相分や高調波分がほぼそのまま伝わる状態となる。
【００４０】
これにより、系統が定常状態では、系統異常判定手段１７における電圧Ｖｓｄ１の変化率が一定値以下であり、長い時定数のフィルタ１５，１６を通して系統電圧正相分が得られる。したがって、逆相電圧や高調波成分の影響をなくすことができ、きれいな波形でインバータ１を動作させることができる。
【００４１】
一方、系統異常で電圧急変が発生した場合には、系統異常判定手段１７における電圧Ｖｓｄ１の変化率が一定値を超え、フィルタ１５，１６の時定数切り換え指令が出力される。このため、短い時定数であるフィルタ１５，１６を通した制御に高速に切り換えられ、系統の瞬時電圧に高速に追従して応答できる。
【００４２】
したがって、本実施例の電力変換装置は、定常時における波形改善と異常時等における応答改善との双方を実現することができる。
【００４３】
図２は、本発明の第２の実施例による電力変換装置を示すブロック図である。なお、図１に示す第１の実施例の構成要素と同一のものには同一符号を付して説明を省略する。第１の実施例と異なる構成は、系統異常判定手段１７の入力信号がｄ軸電圧Ｖｓｄ１ではなく、ｑ軸電圧Ｖｓｑ１であることである。ｑ軸電圧Ｖｓｑ１は、通常時において系統電圧の位相に相当する。ｑ軸電圧Ｖｓｑ１が変動する状態は系統電圧位相が変動しており、系統異常状態にあることを意味する。
【００４４】
本実施例は、第１の実施例に比べ、系統異常判定手段１７の入力信号が異なるのみであり、入力信号の取扱いは第１の実施例と全く同一である。したがって、本実施例の電力変換装置は、第１の実施例の電力変換装置と全く同様に、定常時における波形改善と異常時等における応答改善との双方を実現することができる。
【００４５】
図３は、本発明の第１及び第２の実施例による系統電圧波形の挙動例である。２線地絡系統異常におけるｄ軸電圧Ｖｓｄ１、ｑ軸電圧Ｖｓｑ１の解析波形と、フィルタ時定数切り換えにより算出されたｄ軸電圧Ｖｓｄ２、ｑ軸電圧Ｖｓｑ２の解析波形である。フィルタを通過する前の信号である電圧Ｖｓｄ１とＶｓｑ１に注目すると、通常時はＶｓｄ１＝１［ｐｕ］、Ｖｓｑ１＝０［ｐｕ］付近で細かく振動しており、系統異常時にＶｓｄ１、Ｖｓｑ１が大きく変動していることが正相電圧軌跡から理解できる。フィルタを通過した後の信号であるＶｓｄ２（Ｖｓｑ２も同じ）に注目すると、通常時はＶｓｄ２＝１［ｐｕ］（Ｖｓｑ２＝０［ｐｕ］）付近でほぼ一定値になっている。また、系統異常時はＶｓｄ１（Ｖｓｑ１）とほぼ同じ挙動をしていることが正相電圧軌跡から理解できる。
【００４６】
これらの実施例の電力変換装置においては、系統電圧が定常状態であるときには、系統異常判定手段１７における系統の検出電圧振幅または検出電圧位相の変化率が所定の値よりも小さい。したがって、フィルタの時定数は長い状態となり、そのフィルタの出力を用いてインバータを制御する。これにより、電力変換装置は、インバータの出力において逆相電圧や高調波成分を減少させることができる。
【００４７】
更に、これらの実施例の電力変換装置は、系統異常によって電圧急変が発生した場合には、系統異常判定手段における系統の検出電圧振幅または検出電圧位相の変化率が所定の値よりも大きくなる。したがって、フィルタの時定数は短い状態となり、系統の検出電圧にほぼ追従した信号を用いてインバータを制御する。判定手段の入力信号として、フィルタを通過した信号を使用せず生の信号のみを使用しているため、フィルタによる検出遅れ、例えば１０［ｍｓ］がなく、約１００分の１である１００［μｓ］で判定が可能である。また、フィルタ出力と生信号を切り換えるのではなく、フィルタの時定数を切り換えるため、（１２）式で述べたように、フィルタ内部の積分成分が寄与して出力電圧補正信号が不連続に急変することがない。これにより、本電力変換装置は、電圧急変に対して安定して高速に応答することができる。
【００４８】
系統異常解析結果から、所定値以上の系統の検出電圧振幅又は位相の変化率が観測されるのは、系統異常発生直後と系統異常除去直後、再閉路直後が主である。それ以外の期間では前記変化率が所定の値より小さくなる状態が継続することが確認されている。前記変化率が所定の値より小さくなっていても系統異常が継続しているわけで、この期間にフィルタ時定数を短い状態から長い状態に戻すと電圧急変に対して高速に応答できず過電流を招いてしまう。一方、系統異常発生から異常除去を経由して高速再閉路までの時間は、電力事業者毎に一定の管理値内で実施されている。この管理値より若干長い時間を系統異常継続想定時間に設定する。これらの実施例の電力変換装置では、前記変化率が所定の値より小さくなる状態が、系統異常想定継続時間を超えて継続した場合に、フィルタの時定数を短い状態から長い状態に切り換えて、そのフィルタの出力を用いてインバータを制御する。充分な確認時限を持たせているため系統の検出電圧の変動が無い状況での切り換えが確保される。
【００４９】
なお、系統異常の様相によっては、中速再閉路、低速再閉路が選択される場合もあるが、この場合は、欠相検出、不足電圧検出により母線が遮断されるため、本発明でも対応できない領域となる。
【００５０】
【発明の効果】
本発明によれば、定常時においては、不平衡成分や高調波成分の出力を抑制するとともに、系統異常により系統電圧が急変した場合には、高速に応答して過電流の発生を防止し得る電力変換装置を提供することができる。
【図面の簡単な説明】
【図１】本発明の第１の実施例による電力変換装置を示すブロック図である。
【図２】本発明の第２の実施例による電力変換装置を示すブロック図である。
【図３】本発明の第１及び第２の実施例による系統電圧の挙動例を示す波形図である。
【符号の説明】
１…インバータ、２…誘導性インピーダンス、３…系統電源、４…電圧位相検出器、５，６…三相／ｄｑ軸変換器、７…ｄ軸電流制御回路、８…ｑ軸電流制御回路、９…ｄｑ軸／三相変換器、１０…パルス幅変調回路、１１，１２…減算器、１３，１４…加算器、１５，１６…フィルタ、１７…系統異常判定手段、１８…ＮａＳ電池。
【図１】
2004153957.tif 000005
【図２】
2004153957.tif 000006
【図３】
2004153957.tif 000007